(57)【特許請求の範囲】
【請求項１】
負荷部と、
電力系統から遮断された際に前記負荷部の負荷変動に応じて自動的に発電出力を変動可能な第１の発電部と、
第２の発電部と、
前記負荷部、前記第１の発電部、第２の発電部及び電力系統と、それぞれ電気的に接続された送電部と、を有し、
前記第２の発電部は、前記第２の発電部の発電出力を制御可能な制御部を有し、
前記制御部は、
前記電力系統からの電力の供給が遮断された状態において、前記負荷部の負荷が上昇する遮断後負荷上昇時に、
まずは前記第１の発電部の発電出力が上昇し、
その後、前記第２の発電部の発電出力を上昇させることによって、前記第１の発電部の発電出力を低下させ、
低下させた前記第１の発電部の発電出力は、負荷投入可能率の最も高い運転中負荷である
発電システム。
【請求項２】
前記第１の発電部の発電出力を低下させる際に、前記制御部が前記第２の発電部の発電出力を上昇させた発電出力量は、前記第１の発電部が前記負荷部の負荷上昇に対応するために自動的に増加させた発電出力量と同一である
請求項１に記載の発電システム。
【請求項３】
前記制御部は、
前記電力系統からの電力の供給が遮断される直前は前記第１の発電部、前記第２の発電部共に制御部からの信号により発電出力を制御している
請求項２に記載の発電システム。
【請求項４】
前記第１の発電部はガスエンジンである
請求項３に記載の発電システム。
【請求項５】
前記第２の発電部は、燃料電池である
請求項４に記載の発電システム。
【請求項６】
電力系統からの電力の供給が遮断された状態において、負荷部の負荷が上昇する遮断後負荷上昇時に、まずは第１の発電部の発電出力を上昇させる第１工程と、
第２の発電部の発電出力を上昇させることによって、第１の発電部の発電出力を低下させる第２工程と、を有する
発電システムの制御方法。
【発明の詳細な説明】
【技術分野】
【０００１】
本発明は、電力系統からの電力供給が無くなった場合に、電力を消費する負荷に対して電力を供給可能な発電システム及び発電システムの制御方法に関する。
【背景技術】
【０００２】
通常、分散型の発電システムは、電力系統との連系時には有効電力と力率による制御、電力系統との分離時には周波数と電圧による制御、を行っている。
電力系統との連系時は負荷変動があっても系統が吸収するため、個々に設置された発電システムは高速に出力変動を行う必要は無い。
一方、電力系統と分離されて自立運転する時は、負荷変動が起こるとその変動を発電システムで負担する必要がある。しかし、ガスエンジンなどはガスエンジン毎に許容負荷投入率が定められている（図２）。
【０００３】
特許文献１には、例えば夏季等の初期負荷投入率を向上し、負荷投入を可能な限り迅速に行うことが可能で、商品価値の高いガスエンジン発電システムを得ることが記載されており、ガスエンジンの初期負荷投入可能率を向上のために燃焼用空気に外部空気以外の乾燥空気を用いることでガスエンジンの初期負荷投入可能率を向上させる技術が開示されている。
特許文献２には、ガスエンジン発電機の利用効率の低下を抑制しつつ、ガスエンジン発電機による自立運転時の周波数安定性を向上させることが記載されており、ガスエンジンと電力貯蔵装置を用いて大きな負荷変動に対して電力貯蔵装置に充放電を実施することで、ガスエンジンの大きな出力変動を抑える技術が開示されている。
特許文献３には、商用系統から自立して自家発電設備を運転するにあたって、負荷変動に伴なって生じる不都合を取り除く運転方法が提供されており、ガスエンジンと電力貯蔵装置を用いて負荷変動で生じた周波数変動を監視し、負荷変動が発生した際のガスエンジンの出力変動を電力貯蔵装置にて補助することで、負荷投入可能率を改善する技術が開示されている。
特許文献４には、自家発電設備の定格能力を活かし、効率のよい運転を行うことができる自家発電システムが提供されており、自立運転を実施する際にインバータを介さずに、負荷への電力供給を実施する技術が開示されている。
【先行技術文献】
【特許文献】
【０００４】
【特許文献１】特開２０１１−１９０６８８号
【特許文献２】特開２００８−３０１５４５号
【特許文献３】特開２００７−６５９５号
【特許文献４】特開２００２−１５２９７７号
【発明の概要】
【発明が解決しようとする課題】
【０００５】
一般的にガスエンジンなどの分散型の発電システムにおいては電力系統と分離されて自立運転する時において、図２のように負荷投入可能量は投入前の負荷によって決まる。このため、投入前の負荷が大きくなると負荷投入可能量は少なくなってしまう。
特許文献１では、ガスエンジンと他の電源を組み合わせることによって、及び、ガスエンジンの運転負荷率を下げることによって、負荷投入可能率を上げることは示唆されていない。
また、特許文献２では、負荷投入可能率を単純に２台のガスエンジンで按分するのみであり、その制御については示唆されていない。
さらに、特許文献３では、ガスエンジンと組み合わされた電源に負荷を負わせてガスエンジンの出力を小さくすることについては示唆されていない。
加えて、特許文献４では、発電機の組み合わせや投入負荷に関する記載はない。
【０００６】
本発明は上記課題に鑑みてなされたものであり、その課題の一例は、より簡単な構成又は制御によって、より負荷投入可能率の高い発電システムを提供することである。
出力可能な第２の発電システムを備え、第２の発電システムの出力を増やし、第１の発電システムの出力を下げることで負荷の投入可能量を増大させることに関する発電システム及び発電システムの制御方法の提供である。
【課題を解決するための手段】
【０００７】
本発明の発電システムは、負荷部と、電力系統から遮断された際に前記負荷部の負荷変動に応じて自動的に発電出力を変動可能な第１の発電部と、第２の発電部と、前記負荷部、前記第１の発電部、第２の発電部及び電力系統と、それぞれ電気的に接続された送電部と、を有し、前記第２の発電部は、前記第２の発電部の発電出力を制御可能な制御部を有し、前記制御部は、前記電力系統からの電力の供給が遮断された状態において、前記負荷部の負荷が上昇する遮断後負荷上昇時に、まずは前記第１の発電部の発電出力が上昇し、その後、前記第２の発電部の発電出力を上昇させることによって、前記第１の発電部の発電出力を低下させ、低下させた前記第１の発電部の発電出力は、負荷投入可能率の最も高い運転中負荷である。
【０００８】
好適には、電力系統から遮断された際に、前記第１の発電部の発電出力を低下させる際に、前記制御部が前記第２の発電部の発電出力を上昇させた発電出力量は、前記第１の発電部が前記負荷部の負荷上昇に対応するために自動的に増加させた発電出力量と同一である。
【０００９】
一例としては、前記制御部は、前記電力系統からの電力の供給が遮断される直前は前記第１の発電部、前記第２の発電部共に制御部からの信号により発電出力を制御している。
【００１０】
好適には、前記第１の発電部はガスエンジンである。
【００１１】
好適には、前記第２の発電部は、燃料電池である。
【００１２】
本発明の発電システムの制御方法は、電力系統からの電力の供給が遮断された状態において、負荷部の負荷が上昇する遮断後負荷上昇時に、まずは第１の発電部の発電出力を上昇させる第１工程と、第２の発電部の発電出力を上昇させることによって、第１の発電部の発電出力を低下させる第２工程と、を有する。
【発明の効果】
【００１３】
本発明における発電システムによって、より簡単な構成又は制御によって、より負荷投入可能率の高い発電システム及び発電システムの制御方法を提供することが可能となる。
【図面の簡単な説明】
【００１４】
【図１】本発明における第１の実施形態の構成の説明図である。
【図２】負荷が増加した場合にガスエンジンが対応可能な負荷増加量の関係の説明図である。
【図３】制御部が、ガスエンジンのガスエンジン出力をガスエンジンの最低出力とする制御のフローチャートである。
【図４】本実施形態のように構成した発電システムにおいて、電力系統からの電力供給が無い場合に、負荷が増加した場合の発電システムの挙動の説明図である。
【図５】本実施形態の効果の説明図である。
【発明を実施するための形態】
【００１５】
＜第１の実施形態＞
図１は、本発明における第１の実施形態の構成の説明図である。
図１の（ａ）は、電力系統１０１から電力の供給を発電システム１が受けている場合の説明図であり、図１の（ｂ）は、電力系統１０１からの電力供給が無い場合の説明図である。
【００１６】
図１の（ａ）及び図１の（ｂ）のように、発電システム１は、送電部１１及び変電設備１０３を介して電力系統１０１に電気的に接続されている。
発電システム１は、電力を供給可能なガスエンジン３及び燃料電池５、電力を消費する負荷部９、これらを制御する制御部７及び送電部１１を有している。
ここで、ガスエンジン３が出力している電力をガスエンジン出力Ｐｇで表し、燃料電池５が出力している電力を燃料電池出力Ｐｆで表す。
【００１７】
電力系統１０１と接続されている際は、このガスエンジン出力制御部３３は、制御部７からの出力指令ＣＰｇに基づいて、ガスエンジン３が出力するガスエンジン出力Ｐｇを制御している。
電力系統と遮断された際は、このガスエンジン出力制御部３３は、ガスエンジン３の回転数に応じて自動的にガスエンジン３に供給するガスの量を制御している（ガバナ制御）。具体的には、所定の回転数よりもガスエンジン３の回転数が低下した場合には、自動的にガスエンジン３に供給する燃焼ガス（以下、単に「ガス」という）の量を増加する制御をし、所定の回転数よりもガスエンジン３の回転数が上昇した場合には、自動的にガスエンジン３に供給するガスの量を減少させる制御をする。
このガスエンジン出力制御部３３は、制御部７とは独立して単に回転数に応じて制御を行っており自律的な制御を行っている。
【００１８】
また、ガスエンジン出力測定部３１は、測定したガスエンジン出力Ｐｇに応じたガスエンジン出力情報ＩＰｇを制御部７に出力する。
【００１９】
また、燃料電池５は、その燃料電池出力Ｐｆを測定する燃料電池出力測定部５１、及び、燃料電池出力制御部５３を有している。
この燃料電池出力制御部５３は、制御部７からの出力指令ＣＰｆに基づいて、燃料電池５が出力する燃料電池出力Ｐｆを制御している。具体的には、燃料電池５に供給する燃料及び酸素の量を調節する。より具体的には、現在の出力値よりも出力指令ＣＰｆが大の場合には燃料電池５に供給する燃料及び酸素の量を増大させ、現在の出力値よりも出力指令ＣＰｆが小の場合には燃料電池５に供給する燃料及び酸素の量を減少させる。
燃料電池は電力系統と接続されている際も遮断された際も制御部７からの出力指令に基づいて燃料電池が出力する。
【００２０】
また、燃料電池出力測定部５１は、測定した燃料電池出力Ｐｆに応じた燃料電池出力情報ＩＰｆを制御部７に出力する。
【００２１】
制御部７は、ガスエンジン出力情報ＩＰｇ及び燃料電池出力情報ＩＰｆに基づいて、燃料電池５に出力させる出力指令ＣＰｆを計算し、その計算の結果算出された出力指令ＣＰｆを燃料電池５の燃料電池出力制御部５３へ出力する。
なお、この出力指令ＣＰｆの算出方法については、図３のところで説明する。
【００２２】
ここで、ガスエンジン３と燃料電池５の特性の違いについて説明を行う。
ガスエンジン３は、その特性として比較的短時間でその出力を増大させることが可能である（負荷追従性が高い）。
さらに、本実施形態の電力系統から遮断された際、ガスエンジン３は、その出力の制御は、自律的かつ自動的に行っている為、この点からも負荷追従性が高い。
他方、燃料電池５は負荷を増加させるのに時間がかかることから、ガスエンジンと比べると負荷追従性が低い。
【００２３】
図１の（ａ）のように、電力系統１０１からの電力供給がある場合には、制御部７により制御されており、例えば、電力系統１０１からの受電を０ｋＷとするような制御がされている。
他方、図１の（ｂ）のように、電力系統１０１からの電力供給が無い場合には、ガスエンジン出力Ｐｇ及び燃料電池出力Ｐｆによって負荷部９の負荷量ＰＩに対応しなければならない。
つまり、ＰＩ＝Ｐｇ＋Ｐｆの関係が常に成り立つ必要がある。
さらに、負荷量ＰＩが増加した場合にも、ガスエンジン３及び／又は燃料電池５によってその増加分に対応する必要がある。
なお、電力系統１０１からの電力供給がなくなった場合とは、停電等によって電力系統１０１からの電力を得られなくなった場合、及び、変電設備１０３によって発電システム１が電力系統１０１から切り離された場合が該当する。
【００２４】
上述したように、ガスエンジン３は比較的高い負荷追従性を有している。
ガスエンジン３の負荷投入率を表したのが、図２である。
横軸の運転中負荷とは、そのガスエンジン３の最大出力の何％で、負荷の増加前に運転していたのかを表したものである。
そして、それに対応する縦軸の負荷投入可能率とは、各運転中負荷における、負荷の増加が、ガスエンジン３の最大出力の何％まで耐えられるかを表したものである。
具体例としては、最大出力の５０％（横軸の運転集負荷５０％）で運転しているガスエンジン３は最大出力の２０％の出力の急激な増加に耐えられる。つまり、最大７０％の出力まで瞬時に増加させることができることを、図２の説明図は表している。
なお、図２の負荷投入可能線図例は、あくまで例であり、ガスエンジン３の種類等によって異なる特性を有しているが、本実施形態では運転中負荷が定格出力に対して最低出力が５０％のガスエンジン３を想定して以下説明する。
また、図２においては、５０％以下について記載していないが、５０％以下においても負荷投入可能なガスエンジン３は存在する。しかし、ガスエンジンは一般的には低負荷で運転すると効率の低下やＮＯｘの発生などが懸念されるため、瞬間的に最低出力を下回ることがあっても最低出力以下で運転することは少ないので、記載を省略している。
【００２５】
図２を見れば分かるように、ガスエンジン３にできるだけ高い負荷投入可能率を有させるためには、ガスエンジン３のガスエンジン出力Ｐｇをガスエンジン３の最低出力又は最低出力に近づけておく必要がある。
なお、このように高い負荷投入可能率を有しているということは、ガスエンジン３は負荷量ＰＩの変動に対して高い耐性を有することを意味する。そして、ガスエンジン３が負荷量ＰＩに対して高い耐性を有するということは、発電システム１が負荷変動に対して高い耐性を有していることを意味する。
【００２６】
そのため、本実施形態では、制御部７は、以下の制御によって、ガスエンジン３のガスエンジン出力Ｐｇをガスエンジン３の最大出力の５０％にしている。
【００２７】
図３は、制御部７が、ガスエンジン３のガスエンジン出力Ｐｇをガスエンジン３の最低出力（本実施例においては最大出力の５０％）とする制御のフローチャートである。
【００２８】
ステップＳＴ０１において、制御部７は、ガスエンジン出力測定部３１が測定したガスエンジン３のガスエンジン出力Ｐｇ、及び、燃料電池出力測定部５１が測定した燃料電池５の燃料電池出力Ｐｆ、の入力を受ける。
【００２９】
ステップＳＴ０３において、ガスエンジン出力Ｐｇがガスエンジン３の最低出力より大であるか判断する。
そして、ガスエンジン出力Ｐｇがガスエンジン３の最低出力未満の場合には、ステップＳＴ０１に戻る。
また、ガスエンジン出力Ｐｇがガスエンジン３の最低出力以上の場合には、ステップＳＴ０５に移行する。
この判断を必要とする理由は、ガスエンジン出力Ｐｇがガスエンジン３の最低出力より小の場合には、ガスエンジン３の出力を低下させる制御を行えないからである。
【００３０】
ステップＳＴ０５において、燃料電池出力Ｐｆが燃料電池５の最大出力より小であるか判断する。
そして、燃料電池出力Ｐｆが燃料電池５の最大出力以上の場合には、ステップＳＴ０１に戻る。
また、燃料電池出力Ｐｆが燃料電池５の最大出力未満の場合には、ステップＳＴ０７に移行する。
この判断を必要とする理由は、燃料電池出力Ｐｆが燃料電池５の最大出力以上の場合には、燃料電池５の出力を増加させる制御を行えないからである。
【００３１】
ステップＳＴ０７において、出力指令ＣＰｆを算出する。
具体的には、以下の式によって算出する。
ＣＰｆ＝（Ｐｇ＋Ｐｆ）―（ガスエンジン３の最低出力）
（Ｐｇ＋Ｐｆ）＝負荷量ＰＩであることからこの式は、ガスエンジン３の最低出力以外は燃料電池５に負担させるように、出力指令ＣＰｆの出力をし、この出力指令ＣＰｆに従って燃料電池５（燃料電池出力制御部５３）が出力を制御させるためである。
なお、ガスエンジン３の最低出力（＝負荷投入可能率の最も高い運転中負荷＝本実施形態では最大出力の５０％）を除算しているのは、その分までも燃料電池５に負担させてしまうと、逆に、ガスエンジン３の最低出力以下に出力が下がってしまうからである。
【００３２】
ステップＳＴ０９において、出力指令ＣＰｆを燃料電池５（燃料電池出力制御部５３）に実際に指示する。
そして、ステップＳＴ０１に戻り、制御を継続する。
【００３３】
以上のように制御部７が、燃料電池５の燃料電池出力Ｐｆを制御することからガスエンジン３のガスエンジン出力Ｐｇを負荷投入可能率が最も高い状態に保つことが可能となる。以下具体的に説明する。
【００３４】
図４は、本実施形態のように構成した発電システム１において、電力系統１０１からの電力供給が無い場合に、負荷が増加した場合の発電システム１の挙動の説明図である。
【００３５】
電力系統１０１からの電力供給が無い場には、負荷量ＰＩはガスエンジン出力Ｐｇ及び燃料電池出力Ｐｆによって供給されている。
その状態において、負荷量ＰＩが比較的短時間で増加した場合（時刻ｔ１）には、ガバナ制御を行なっているガスエンジン３が自動的に追従する。この追従は、比較的短時間に行われる。
なぜなら、負荷量ＰＩが増加した場合には、ガスエンジン３の回転数が低下してしまい、この回転数の低下に対応するためにガスエンジン出力制御部３３がガスの供給量を増加させるからである。
そして、ガス供給量が増加するとガスエンジン３のガスエンジン出力Ｐｇが増加して、負荷量ＰＩの増加に対応する。
その後、図３のフローチャート示された制御を制御部７が行い、燃料電池５の燃料電池出力Ｐｆを増加させる。この時の制御部７は、ガスエンジン３のガスエンジン出力Ｐｇが最低出力となるように、出力指令ＣＰｆを既に出力している。
そのため、図４のように、緩やかな角度しか燃料電池出力Ｐｆが増加していない。
この燃料電池５の燃料電池出力Ｐｆの増加に伴い、代替的に、ガスエンジン出力Ｐｇは自動的にそのガスエンジン出力Ｐｇが減少する。
なぜなら、負荷量ＰＩが一定であれば、燃料電池出力Ｐｆが増加すると、その分、ガスエンジン３が負担すべき負荷が減少する。そして、それに伴い、ガスエンジン３の回転数が増加するため、これに対応するためガスエンジン出力制御部３３が自動的にガスの供給量を減少させるためである。
【００３６】
そして、時刻ｔ２の時点において、ガスエンジン３の最低出力となった段階で燃料電池５の燃料電池出力Ｐｆの増加が終了する（ステップＳＴ０７の説明部分も参照のこと）。
これによって、ガスエンジン出力Ｐｇは、負荷量ＰＩが増加する前のガスエンジン３が最も負荷の増加に対応可能なガスエンジン３の最低出力値（本実施形態においてはガスエンジン３の最大出力の５０％）にとなる。
なお、本実施形態においては、ガスエンジン３の最低出力値とは、ガスエンジン３が負荷の変動に最も対応可能な値を意味している。
【００３７】
図５は、本実施形態の効果の説明図である。
【００３８】
例えば、負荷増加前にガスエンジン出力Ｐｇが５０ｋＷ（ガスエンジン３の最大出力の５０％）であり、燃料電池出力Ｐｆが５０ｋＷ（燃料電池５の最大出力の５０％）である場合を想定して説明する。
４０ｋＷの負荷量ＰＩの増加があった場合に、本実施形態における制御を行った場合にガスエンジン３と燃料電池５が分かち合う出力が右側の第１のパターンである。
また、４０ｋＷの負荷量ＰＩの増加があった場合に、負荷量ＰＩを按分する制御を行った場合にガスエンジン３と燃料電池５が分かち合う出力が左側の第２のパターンである。
【００３９】
そうすると、第１のパターン（本実施形態の場合）においては、ガスエンジン３の負荷投入可能率は２０％と負荷量の増加前と同一となっている（図２も参照のこと）。
他方、第２のパターンでは、負荷投入可能率は１５％となっており、負荷量の増加前よりも５％も負荷量ＰＩの増加に対する耐性が低くなっていることが分かる（図２も参照のこと）。
【００４０】
以上より、本実施形態によって、負荷投入可能率を高く保持することが可能な発電システム１が提供可能となっている。
【００４１】
＜他の実施形態＞
本実施形態では、電力供給を、ガスエンジン３と燃料電池５のみから行っていたが、これに加えて、更に他のガスエンジン及び燃料電池、ガスタービン、ガソリンエンジン、ディーゼルエンジン、キャパシタ等を有していてもよい。
これによって、より電力供給能力及び瞬時の負荷量ＰＩの増加に瞬時に対応可能性を向上させることが可能となる。
【００４２】
また、本発明は以上の実施形態に限定されるものではなく、様々な変化した構造、構成、制御を行っていても良い。
【００４３】
＜実施形態の構成及び効果＞
本実施形態の発電システム１は、負荷部９と、電力系統から分離された際に負荷部９の負荷変動に応じて自動的に発電出力を変動可能なガスエンジン３と、燃料電池５と、負荷部９、ガスエンジン３、燃料電池５及び電力系統１０１と、それぞれ電気的に接続された送電部１１と、を有し、燃料電池５は、燃料電池５の発電出力を制御可能な制御部７を有し、制御部７は、電力系統１０１からの電力の供給が遮断された状態において、負荷部９の負荷が上昇する遮断後負荷上昇時に、まずはガスエンジン３の発電出力が上昇し、その後、燃料電池５の発電出力を上昇させることによって、ガスエンジン３の発電出力を低下させる。
このような構成を有することから、負荷投入可能率を高く保持することが可能な発電システム１が提供可能となる。
【００４４】
前記第１の発電部の発電出力を低下させる際に、制御部７が燃料電池５の発電出力を上昇させた発電出力量は、ガスエンジン３が負荷部９の負荷上昇に対応するために自動的に増加させた発電出力量と同一である。
このような構成を有することから、負荷量上昇前の負荷投入可能率が高い状態に復帰可能である。
【００４５】
制御部７は、ガスエンジン３、燃料電池５共に制御部からの信号により発電出力を制御している。これは例えば、電力系統からの電力を０ｋＷとするように発電出力を制御している。
このような構成から、電力系統から電力が得られない場合、又は、電力系統からの電力を得ることを望まない場合にも、発電システム１を運転させることができる。
【００４６】
発電システム１は、ガスエンジン３によって構成されている。
このような構成を有することから、瞬時に負荷量ＰＩの変動に対応可能となっている。
【００４７】
発電システム１は、燃料電池によって構成されている。
このような構成を有することから、発電出力量を確実に増加させることが可能となる。
【００４８】
本実施形態の発電システム１の制御方法は、電力系統からの電力の供給が遮断された状態において、負荷部９の負荷が上昇する遮断後負荷上昇時に、まずはガスエンジン３の発電出力を上昇させる第１工程と、燃料電池５の発電出力を上昇させることによって、ガスエンジン３の発電出力を低下させる第２工程と、を有する。
このような構成を有することから、負荷投入可能率を高く保持することが可能な発電システム１の制御方法が提供可能となる。
【００４９】
＜定義等＞
本発明の第１の発電部の一例がガスエンジン３である。また、本発明の第２の発電部の一例が燃料電池５である。したがって、第１の発電部及び第２の発電部は、ガスエンジン及び燃料電池、ガスタービン、ガソリンエンジン、ディーゼルエンジン、キャパシタ等のいずれでもよい。
【符号の説明】
【００５０】
１      発電システム
３      ガスエンジン（第１の発電部）
５      燃料電池（第２の発電部）
７      制御部
９      負荷部
１１    送電部
３１    ガスエンジン出力測定部
３３    ガスエンジン出力制御部
５１    燃料電池出力測定部
５３    燃料電池出力制御部
１０１  電力系統
１０３  変電設備
ＣＰｆ  出力指令
ＩＰｆ  燃料電池出力情報
ＩＰｇ  ガスエンジン出力情報
ＰＩ    負荷量
Ｐｆ    燃料電池出力
Ｐｇ    ガスエンジン出力
【図１】
0005658708.tif 000002
【図２】
0005658708.tif 000003
【図３】
0005658708.tif 000004
【図４】
0005658708.tif 000005
【図５】
0005658708.tif 000006